(57)【要約】      （修正有）【課題】本人が外出時に音声とモニターにて、外出時絶対に持参しなければならない品物等を、本人自身が何ら操作することなく自動的に本人に直接伝達する器具を提供する。【解決手段】無線リモコン付器具４と組み合わされた、所謂あらかじめ認識をされた玄関扉の特殊鍵１にて、玄関扉の鍵穴に差し込み施錠した時鍵内部のシリンダー錠、等々２と特殊鍵がマッチングすることにより反応して、これを無線リモコン付器具に電波等により無線伝達して、本人が外出時玄関扉を施錠した瞬間に、あらかじめセットされていた文言が、この無線リモコン付器具を通して、音声とモニター画面等を経由して、本人に直接伝達発信する事が出来るようにされた器具であり、本人が何ら難しい操作することなく、自動的に本人自身が外出時必要と思われる色々な必要品が直接本人に音声とモニター等にて、伝達する事が出来た為に、殆ど忘れ物をしないで済むようになる。【選択図】図１
2017146946.tif 000002
【特許請求の範囲】
【請求項１】
（イ）無線リモコン付器具と組み合わされた、所謂あらかじめ認識をされた単独な玄関扉の特殊鍵にて、玄関扉の鍵穴に差し込み施錠した時鍵内部のシリンダー錠、等々と特殊鍵がマッチングすることにより反応し、本人に取って必要な物、忘れたら再度外出先からでも、自宅に取りに行かなければ、成らないもの例えば、携帯、サイフ、定期、会社で必要な鍵、書類等、玄関扉を施錠したと同時に、この無線リモコン付器具から、音声又は、モニター画面等を使って、文章にある様な、箇条書き要領で、本人に伝達、発信する事が出来るようにされた器具である。
（ロ）無線リモコン付器具は音声によって、本人に直接知らせる事が出来る仕様となっておりますが、言葉は主に日本語を主眼として、セットを切り替える事により、他の言語も取り入れ可能な仕様とする。
（ハ）無線リモコン付器具の音声での指示は、本人に取って必要な物、忘れたら再度外出先からでも自宅に取りに行かなければ、成らないもの、例えば、携帯、サイフ、定期、会社で必要な鍵、書類等、主に一般的需要に沿って、スタンダード的な項目を音声で最初から取り込まれた既製品的な音声の製品器具と、又一方当人の言葉にて用途、要求に応じて、各々取り込み内容等其々取り込みする事が可能なオーダー品的製品器具とからなる仕様とする。
（ニ）無線リモコン付器具は、音声での発生指示と同時に、この器具にモニター画面を設置することで、耳の不自由な人でも文字にて、確認出来る様にされた器具又モニター面に凹凸部を作り出すことによりモニター面を触手することにより、耳・目の不自由な人でも触手で覚知できるようにし、これらが其々取り入れ可能な事が出来る器具仕様とする。又音声とモニター画面さらにモニター面の凹凸部の切り替えも瞬時に出来る仕様とする。
（ホ）上記（イ）〜（ニ）器具の仕様については、無線リモコン付器具の本体の形状、高さ、長さ、大きさ、材質、色彩、厚さ、重量、塗装等の仕様については、限定しない。さらに無線リモコンの形状と無線方式とリモコンの形状、高さ、長さ、大きさ、材質、色彩、厚さ、重量、塗装等の仕様については、限定しない。又器具の音声とモニター画面の切り替えセットボタン、他の言語の切り替えボタン、音声とモニター画面のリピートボタン、音声の構造等について、これらの位置と個数と形状、高さ、長さ、大きさ、材質、色彩、厚さ、重量、塗装等の仕様については、限定しない。又無線リモコン付器具の音声の強弱、音声のスピード、音声の時間の長短、音声の男女の音色、音声の音質等その他無線リモコン付器具のモニター面の凹凸部の形状、仕様についても限定しない。
（ヘ）無線リモコン付器具と組み合わされた、認識済の玄関扉の特殊鍵にて、玄関扉を施錠した際、鍵内部のシリンダー錠、等々と特殊鍵がマッチングすることにより反応し、無線リモコン付器具が連結同調されて稼働する仕様とする。
（ト）認識済の玄関扉の特殊鍵とシリンダー錠、等々内部の部品の本体の形状、高さ、長さ、大きさ、材質、色彩、厚さ、重量、塗装等又の仕様については、限定しない。さらに無線方式、リモコン、電波方式等についても限定しない。
（チ）無線リモコン付器具の稼働電源は、電池式（乾電池、ボタン電池）、充電式、太陽光充電でも使用可能な方式仕様とする。又これらの仕様については、限定いない。
（リ）無線リモコン付器具及び認識済の玄関扉の特殊鍵は、其々暗がりでもボタンを押すことにより、照明ランプあかりが点くように、されておりこの構造等の方式、稼働電源等を含めこの照明ランプの形状、高さ、長さ、大きさ、材質、色彩、厚さ、重量、塗装等の仕様については、限定しない。
【発明の詳細な説明】
【技術分野】
【００１】この発明は、外出時絶対に持参しなければならない物すなわち忘れ物を防止する為に、つくられた器具であります。
【背景技術】
【００２】従来の鍵忘れ防止器具について、離れるとアラーム、置き忘れ防止アラーム、鍵のカケ忘れアラーム、鍵・携帯・リモコンあれ〜何処等用途に応じて千差万別数多くありました。
【発明が解決しようとする課題】
【００３】これは次のような欠点があった。
例えば、既存の鍵忘れ防止器具について、個々の其々の用途に応じては、充分に満たしておりましたが、音声とモニターにて、必要に応じて、音声だけであっても、本人が何ら操作することなく、外出時絶対に持参しなければならない品物が自動的に必要と思われる本人に、直接伝達する器具はありませんでした。
本発明は、これらの欠点を無くす為に、本人が外出時に音声とモニターにて、外出時絶対に持参しなければならない必要品を、本人が何ら操作することなく自動的に必要と思われる本人に直接伝達する器具として、対応し、なされた器具である。
【課題を解決する為の手段】
【００４】無線リモコン付器具と組み合わされた、所謂あらかじめ認識をされた玄関扉の特殊鍵にて、玄関扉の鍵穴に差し込み施錠した時鍵内部のシリンダー錠、等々と特殊鍵がマッチングすることにより反応し、請求項（イ）〜（ニ）の無線リモコン付器具が電波等により、連結同調されて稼働する仕様とする。
【発明の効果】
【００５】既存の其々の鍵忘れ防止器具に比べて、本人が外出時玄関扉を施錠した瞬間に、本人が何ら難しい操作することなく、自動的に本人自身が外出時必要と思われる色々な必要品等が直接本人に音声とモニター等にて、伝達する事が出来た為に、殆ど忘れ物をしないで済むようになった。
【発明を実地する為の最良の形態】
【００６】以下。本発明を実地する為の最良の形態について説明する。
無線リモコン付器具と玄関扉の単独な特殊加工された鍵をあらかじめマッチングさせ認識をさせておく事。次に玄関扉の鍵穴内部のシリンダー錠、等々と特殊鍵がマッチングすることにより、シリンダー錠、等々内部の部品が反応してこれを無線リモコン付器具に電波等により無線伝達して、あらかじめセットされて、いたこの無線リモコン付器具から、音声とモニター画面等を使って、本人に直接其々伝達発信する事が出来るようにされた器具であり、これらの３つが組み合わされて、初めて発明の機能を実地する事が可能であり、これが最良の形態である。
【図面の簡単な説明】
【００７】
【図１】本発明の平面図と立面図、側面図である。
【図２】本発明のあいそめ図である。
【符号の説明】
【００８】１    単独な特殊加工された玄関扉の鍵      １６  充電パワー表示灯
２    玄関扉の鍵内部のシリンダー錠、等々
３    シリンダー錠、等々の内部の部品
４    無線リモコン付器具
５    音声とモニターの切り替えボタン
６    音声又はモニターのリピートボタン
７    言語切り替えボタン
８    モニター機能の切り替えボタン
９    音声の機能
１０  モニター機能
１１  無線リモコン付器具の起動ボタン
１２  無線リモコン付器具のロックボタン
１３  モニター面の凹凸切り替えボタン
１４  無線リモコン付器具照明ランプ
１５  単独な特殊加工された玄関扉の鍵照明ランプ
【図１】
2017146946.tif 000003
【図２】
2017146946.tif 000004